(57)【要約】【課題】  ＷＣＤＭＡ方式とＧＳＭ方式とに対応する携帯電話機の小型軽量化や、低消費電力化が困難である。【解決手段】  スイッチ６１が、アンテナ５０と共用器１４とを接続する。スイッチ６２が、アンテナ５０と第２の出力用増幅部２２とを接続する。アンテナ５０が受信したＷＣＤＭＡ受信信号およびＧＳＭ受信信号は、スイッチ６１と共用器１４等を介して受信信号処理部７０に入力される。送信信号生成部８０が生成したＷＣＤＭＡ送信信号は、スイッチ４１や、スイッチ６１等を介してアンテナ５０から送信される。送信信号生成部８０が生成したＧＳＭ送信信号は、スイッチ４２や、スイッチ６２等を介してアンテナ５０から送信される。【選択図】  図１
2007036868.tif 000002
【特許請求の範囲】
【請求項１】
ＧＳＭ方式とＷＣＤＭＡ方式とで信号を送受信する携帯電話機において、
信号を送受信するアンテナと、
所定の信号を通過させるフィルタ部と、
ＧＳＭ方式で送信するＧＳＭ送信信号を増幅するＧＳＭ送信信号増幅手段と、
前記アンテナと、前記フィルタ部および前記ＧＳＭ送信信号増幅手段とを接続するアンテナ接続手段とを備え、
前記フィルタ部は、前記アンテナが受信したＧＳＭ方式の信号であるＧＳＭ受信信号とＷＣＤＭＡ方式の信号であるＷＣＤＭＡ受信信号とを通過させる受信フィルタと、前記アンテナから送信されるＷＣＤＭＡ方式の信号であるＷＣＤＭＡ送信信号を通過させる送信フィルタとを含み、
前記アンテナ接続手段は、ＧＳＭ方式で信号を送信する場合に閉状態となり、閉状態で前記ＧＳＭ送信信号増幅手段で増幅されたＧＳＭ送信信号を前記アンテナに出力する第１のアンテナスイッチと、
ＧＳＭ方式で信号を受信する場合またはＷＣＤＭＡ方式で信号を送受信する場合に閉状態となり、閉状態で、前記ＧＳＭ受信信号および前記ＷＣＤＭＡ受信信号とを前記受信フィルタに出力し、前記送信フィルタを通過したＷＣＤＭＡ送信信号を前記アンテナに出力する第２のアンテナスイッチとを含む
ことを特徴とする携帯電話機。
【請求項２】
受信フィルタを通過したＧＳＭ受信信号とＷＣＤＭＡ受信信号とを増幅する低雑音増幅手段と、
前記低雑音増幅手段が増幅したＧＳＭ受信信号とＷＣＤＭＡ受信信号とを、受信信号を処理する受信信号処理手段に入力する受信段間フィルタとを備える
請求項１記載の携帯電話機。
【請求項３】
送信信号を生成する送信信号生成手段が生成したＧＳＭ送信信号とＷＣＤＭＡ送信信号とを通過させる送信段間フィルタと、
前記送信段間フィルタを通過したＧＳＭ送信信号とＷＣＤＭＡ送信信号とを所定の電力に増幅する送信信号増幅手段と、
ＧＳＭ方式で信号を送信する場合に閉状態となり、閉状態で前記送信信号増幅手段が増幅したＧＳＭ送信信号をＧＳＭ送信信号増幅手段に出力するＧＳＭ送信信号スイッチ、およびＷＣＤＭＡ方式で信号を送受信する場合に閉状態となり、閉状態で前記送信信号増幅手段が増幅したＷＣＤＭＡ送信信号を送信フィルタに出力するＷＣＤＭＡ送信信号スイッチを含む送信信号出力切り替え手段とを備える
請求項１または請求項２記載の携帯電話機。
【請求項４】
ＷＣＤＭＡ送信信号を通過させるアイソレータを備え、
ＷＣＤＭＡ送信信号スイッチは、前記アイソレータを介して前記ＷＣＤＭＡ送信信号を送信フィルタに出力する
請求項３記載の携帯電話機。
【請求項５】
ＧＳＭ送信信号とＷＣＤＭＡ送信信号とを通過させるアイソレータを備え、
送信信号増幅手段は、前記アイソレータを介して増幅したＧＳＭ送信信号とＷＣＤＭＡ送信信号とを送信信号出力切り替え手段に出力する
請求項３記載の携帯電話機。
【請求項６】
第１のアンテナスイッチと、第２のアンテナスイッチと、ＧＳＭ送信信号スイッチと、ＷＣＤＭＡ送信信号スイッチとを制御する制御手段を備え、
前記制御手段は、ＷＣＤＭＡ方式で信号を送受信するときに、第１のアンテナスイッチおよびＧＳＭ送信信号スイッチを開状態に遷移させ、第２のアンテナスイッチおよびＷＣＤＭＡ送信信号スイッチを閉状態に遷移させる
請求項３から請求項５のうちいずれか１項記載の携帯電話機。
【請求項７】
第１のアンテナスイッチと、第２のアンテナスイッチと、ＧＳＭ送信信号スイッチと、ＷＣＤＭＡ送信信号スイッチとを制御する制御手段を備え、
前記制御手段は、ＧＳＭ方式で信号を送信するときに、第２のアンテナスイッチおよびＷＣＤＭＡ送信信号スイッチを開状態に遷移させ、ＧＳＭ送信信号スイッチおよび第１のアンテナスイッチを閉状態に遷移させる
請求項３から請求項６のうちいずれか１項記載の携帯電話機。
【請求項８】
第１のアンテナスイッチと、第２のアンテナスイッチと、ＧＳＭ送信信号スイッチと、ＷＣＤＭＡ送信信号スイッチとを制御する制御手段を備え、
前記制御手段は、ＧＳＭ方式で信号を受信するときに、第１のアンテナスイッチおよびＧＳＭ送信信号スイッチを開状態に遷移させ、第２のアンテナスイッチおよびＷＣＤＭＡ送信信号スイッチを閉状態に遷移させる
請求項３から請求項７のうちいずれか１項記載の携帯電話機。
【発明の詳細な説明】
【技術分野】
【０００１】
本発明は、ＷＣＤＭＡ方式とＧＳＭ方式とに対応する携帯電話機に関する。
【背景技術】
【０００２】
ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式と、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）方式とに対応した携帯電話機がある。
【０００３】
従来の携帯電話機は、アンテナと、ＷＣＤＭＡ方式およびＧＳＭ方式で受信または送信する信号をそれぞれ増幅する複数の増幅部と、受信または送信する信号をそれぞれ通過させる複数のフィルタと、増幅部またはフィルタとアンテナとを接続するスイッチ部とを備えている。
【０００４】
そして、ＷＣＤＭＡ方式では信号の送受信を同時に行うため、アンテナと受信フィルタおよび送信フィルタとが、スイッチ部が含む第１のスイッチで接続されている。
【０００５】
一方、ＧＳＭ方式では、信号の受信と送信とを異なるタイミングで行うため、アンテナと受信フィルタとがスイッチ部が含む第２のスイッチで接続され、アンテナと増幅部とがスイッチ部が含む第３のスイッチで接続されている。すなわち、従来の携帯電話機は、スイッチ部が３つのスイッチを備えている。
【０００６】
特許文献１には、ＷＣＤＭＡ方式とＧＳＭ方式とに対応し、ＷＣＤＭＡ方式として動作するときの発振器の動作電流を少なくして、消費電力を削減する携帯電話機が記載されている。
【０００７】
特許文献２には、複数の通信方式に対応した通信端末装置用のフロントエンド回路が記載されている。
【０００８】
【特許文献１】特開２００４−８８４０１号公報  （段落００１４〜００２３、図１）
【特許文献２】特開２００２−１８５３５６号公報  （段落００１３〜００１７、図２）
【発明の開示】
【発明が解決しようとする課題】
【０００９】
しかし、従来の携帯電話機は、構成が複雑であるため、携帯電話機の小型化や、軽量化、低コスト化が困難である。また、スイッチ部は３つのスイッチを有するが、高周波電流は開状態のスイッチを通過してしまうため、スイッチを多く有すると高周波損失が大きくなるという問題がある。そして、高周波損失が大きくなると、各増幅部が所定の電力を出力するためには大きな電力が必要となり、低消費電力化が困難になる。また、高周波損失が大きくなると、受信時の高感度化が困難になる。
【００１０】
そして、特許文献１および特許文献２に記載されている携帯電話機等は、そのような問題を解決することができない。
【００１１】
そこで、本発明は、低消費電力で受信時に高感度な簡易な構成の携帯電話機を提供することを目的とする。
【課題を解決するための手段】
【００１２】
本発明による携帯電話機は、ＧＳＭ方式とＷＣＤＭＡ方式とで信号を送受信する携帯電話機であって、信号を送受信するアンテナと、所定の信号を通過させるフィルタ部と、ＧＳＭ方式で送信するＧＳＭ送信信号を増幅するＧＳＭ送信信号増幅手段と、アンテナと、フィルタ部およびＧＳＭ送信信号増幅手段とを接続するアンテナ接続手段とを備え、フィルタ部は、アンテナが受信したＧＳＭ方式の信号であるＧＳＭ受信信号とＷＣＤＭＡ方式の信号であるＷＣＤＭＡ受信信号とを通過させる受信フィルタと、アンテナから送信されるＷＣＤＭＡ方式の信号であるＷＣＤＭＡ送信信号を通過させる送信フィルタとを含み、アンテナ接続手段は、ＧＳＭ方式で信号を送信する場合に閉状態となり、閉状態でＧＳＭ送信信号増幅手段で増幅されたＧＳＭ送信信号をアンテナに出力する第１のアンテナスイッチと、ＧＳＭ方式で信号を受信する場合またはＷＣＤＭＡ方式で信号を送受信する場合に閉状態となり、閉状態で、ＧＳＭ受信信号およびＷＣＤＭＡ受信信号とを受信フィルタに出力し、送信フィルタを通過したＷＣＤＭＡ送信信号をアンテナに出力する第２のアンテナスイッチとを含むことを特徴とする。
【００１３】
受信フィルタを通過したＧＳＭ受信信号とＷＣＤＭＡ受信信号とを増幅する低雑音増幅手段と、低雑音増幅手段が増幅したＧＳＭ受信信号とＷＣＤＭＡ受信信号とを、受信信号を処理する受信信号処理手段に入力する受信段間フィルタとを備えてもよい。
【００１４】
送信信号を生成する送信信号生成手段が生成したＧＳＭ送信信号とＷＣＤＭＡ送信信号とを通過させる送信段間フィルタと、送信段間フィルタを通過したＧＳＭ送信信号とＷＣＤＭＡ送信信号とを所定の電力に増幅する送信信号増幅手段と、ＧＳＭ方式で信号を送信する場合に閉状態となり、閉状態で送信信号増幅手段が増幅したＧＳＭ送信信号をＧＳＭ送信信号増幅手段に出力するＧＳＭ送信信号スイッチ、およびＷＣＤＭＡ方式で信号を送受信する場合に閉状態となり、閉状態で送信信号増幅手段が増幅したＷＣＤＭＡ送信信号を送信フィルタに出力するＷＣＤＭＡ送信信号スイッチを含む送信信号出力切り替え手段とを備えてもよい。
【００１５】
ＷＣＤＭＡ送信信号を通過させるアイソレータを備え、ＷＣＤＭＡ送信信号スイッチは、アイソレータを介してＷＣＤＭＡ送信信号を送信フィルタに出力してもよい。
【００１６】
ＧＳＭ送信信号とＷＣＤＭＡ送信信号とを通過させるアイソレータを備え、送信信号増幅手段は、アイソレータを介して増幅したＧＳＭ送信信号とＷＣＤＭＡ送信信号とを送信信号出力切り替え手段に出力してもよい。
【００１７】
第１のアンテナスイッチと、第２のアンテナスイッチと、ＧＳＭ送信信号スイッチと、ＷＣＤＭＡ送信信号スイッチとを制御する制御手段を備え、制御手段は、ＷＣＤＭＡ方式で信号を送受信するときに、第１のアンテナスイッチおよびＧＳＭ送信信号スイッチを開状態に遷移させ、第２のアンテナスイッチおよびＷＣＤＭＡ送信信号スイッチを閉状態に遷移させてもよい。
【００１８】
第１のアンテナスイッチと、第２のアンテナスイッチと、ＧＳＭ送信信号スイッチと、ＷＣＤＭＡ送信信号スイッチとを制御する制御手段を備え、制御手段は、ＧＳＭ方式で信号を送信するときに、第２のアンテナスイッチおよびＷＣＤＭＡ送信信号スイッチを開状態に遷移させ、ＧＳＭ送信信号スイッチおよび第１のアンテナスイッチを閉状態に遷移させてもよい。
【００１９】
第１のアンテナスイッチと、第２のアンテナスイッチと、ＧＳＭ送信信号スイッチと、ＷＣＤＭＡ送信信号スイッチとを制御する制御手段を備え、制御手段は、ＧＳＭ方式で信号を受信するときに、第１のアンテナスイッチおよびＧＳＭ送信信号スイッチを開状態に遷移させ、第２のアンテナスイッチおよびＷＣＤＭＡ送信信号スイッチを閉状態に遷移させてもよい。
【発明の効果】
【００２０】
本発明によれば、アンテナ接続手段が含むスイッチを２つにしたため、スイッチによる高周波損失を少なくすることができ、低消費電力で受信時に高感度な簡易な構成の携帯電話機を提供することができる。
【００２１】
また、一の低雑音増幅手段がＧＳＭ受信信号とＷＣＤＭＡ受信信号とを増幅し、一の受信段間フィルタがＧＳＭ受信信号とＷＣＤＭＡ受信信号とを受信信号処理手段に入力するように構成されている場合には、携帯電話機の構成を簡素化することができる。
【００２２】
また、一の送信段間フィルタがＧＳＭ送信信号とＷＣＤＭＡ送信信号とを通過させ、一の送信信号増幅手段がＧＳＭ送信信号とＷＣＤＭＡ送信信号とを所定の電力に増幅し、送信信号出力切り替え手段が、各送信信号の出力先を切り替えるように構成されている場合には、携帯電話機の構成を簡素化することができる。
【００２３】
ＷＣＤＭＡ送信信号スイッチが、アイソレータを介してＷＣＤＭＡ送信信号を送信フィルタに出力するように構成されている場合には、送信信号増幅手段、送信信号出力切り替え手段、およびＧＳＭ送信信号増幅手段を一連の構成にすることができるため、それらを一のＧａＡｓ半導体モジュールで実現し、携帯電話機を小型化したり、軽量化したりすることができる。
【００２４】
送信信号増幅手段が、アイソレータを介して増幅したＧＳＭ送信信号とＷＣＤＭＡ送信信号とを送信信号出力切り替え手段に出力するように構成されている場合には、ＧＳＭ送信信号とＷＣＤＭＡ送信信号との高周波増幅安定度を高めることができる。
【発明を実施するための最良の形態】
【００２５】
実施の形態１．
本発明の第１の実施の形態について図面を参照して説明する。図１は、本発明による携帯電話機の第１の実施の形態の一構成例を示すブロック図である。
【００２６】
本発明による携帯電話機の第１の実施の形態は、受信フィルタ１０、受信段間フィルタ１１、送信フィルタ１２、送信段間フィルタ１３、低雑音増幅部（低雑音増幅手段）２０、第１の出力用増幅部（送信信号増幅手段）２１、第２の出力用増幅部（ＧＳＭ送信信号増幅手段）２２、アイソレータ３０、出力スイッチ部（送信信号出力切り替え手段）４０、アンテナ５０、アンテナスイッチ部（アンテナ接続手段）６０、受信信号処理部（受信信号処理手段）７０、送信信号生成部（送信信号生成手段）８０、および制御部（制御手段）９０を含む。
【００２７】
受信フィルタ１０は、アンテナ５０が受信したＷＣＤＭＡ受信信号とＧＳＭ受信信号とを選択的に低雑音増幅部２０へ通過させる。具体的には、受信フィルタ１０は、例えば、９２５ＭＨｚから９６０ＭＨｚの信号を通過させるバンドパスフィルタによって実現される。
【００２８】
低雑音増幅部２０は、受信フィルタ１０を通過したＷＣＤＭＡ受信信号とＧＳＭ受信信号とを増幅して受信段間フィルタ１１に出力する。
【００２９】
受信段間フィルタ１１は、低雑音増幅部２０が増幅したＷＣＤＭＡ受信信号とＧＳＭ受信信号とを選択的に受信信号処理部７０へ通過させる。具体的には、受信段間フィルタ１１は、例えば、９２５ＭＨｚから９６０ＭＨｚの信号を通過させるバンドパスフィルタによって実現される。
【００３０】
送信段間フィルタ１３は、送信信号生成部８０が生成したＷＣＤＭＡ送信信号とＧＳＭ送信信号とを選択的に第１の出力用増幅部２１へ通過させる。具体的には、送信段間フィルタ１３は、例えば、８８０ＭＨｚから９１５ＭＨｚの信号を通過させるバンドパスフィルタによって実現される。
【００３１】
第１の出力用増幅部２１は、送信段間フィルタ１３を通過したＷＣＤＭＡ送信信号とＧＳＭ送信信号とを所定の電力まで増幅してアイソレータ３０に出力する。具体的には、第１の出力用増幅部２１は、例えば、ＷＣＤＭＡ方式での最大出力電力である２４ｄＢｍの電力の信号をアンテナ５０が送信ように増幅する。
【００３２】
アイソレータ３０は、反射波などの第１の出力用増幅部２１に戻る不要な信号を吸収し、第１の出力用増幅部２１の動作を安定させ、第１の出力用増幅部２１が出力した信号を出力スイッチ部４０に出力する。
【００３３】
出力スイッチ部４０は、アイソレータ３０と送信フィルタ１２とを接続するスイッチ（ＷＣＤＭＡ送信信号スイッチ）４１、およびアイソレータ３０と第２の出力用増幅部２２とを接続するスイッチ（ＧＳＭ送信信号スイッチ）４２を含む。
【００３４】
スイッチ４１は、制御部９０の制御にしたがって、ＷＣＤＭＡ方式で携帯電話機が動作する場合に閉状態になる。また、スイッチ４２は、制御部９０の制御にしたがって、ＧＳＭ方式で携帯電話機が動作する場合に閉状態になる。
【００３５】
第２の出力用増幅部２２は、ＧＳＭ送信信号を所定の電力まで増幅してアンテナスイッチ部６０に出力する。具体的には、例えば、ＧＳＭ方式での最大出力電圧である３３ｄＢｍの電力の信号をアンテナ５０が送信するように増幅する。
【００３６】
送信フィルタ１２は、ＷＣＤＭＡ送信信号を選択的にアンテナスイッチ部６０へ通過させる。具体的には、送信フィルタ１２は、例えば、８８０ＭＨｚから９１５ＭＨｚの信号を通過させるバンドパスフィルタで実現される。なお、受信フィルタ１０と送信フィルタ１２とは、一の共用器（フィルタ部）１４を構成する。
【００３７】
アンテナスイッチ部６０は、アンテナ５０と共用器１４とを接続するスイッチ（第２のアンテナスイッチ）６１、およびアンテナ５０と第２の出力用増幅部２２とを接続するスイッチ（第１のアンテナスイッチ）６２を含む。
【００３８】
スイッチ６１は、制御部９０の制御にしたがって、ＷＣＤＭＡ方式で携帯電話機が動作する場合、およびＧＳＭ方式で携帯電話機が動作する場合であって、ＧＳＭ受信信号を受信するときに閉状態になる。また、スイッチ６２は、制御部９０の制御にしたがって、ＧＳＭ方式で携帯電話機が動作する場合であって、ＧＳＭ送信信号を送信するときに閉状態になる。
【００３９】
受信信号処理部７０は、ＷＣＤＭＡ受信信号およびＧＳＭ受信信号を音声信号等に変換する。また、送信信号生成部８０は、音声信号等をＷＣＤＭＡ送信信号またはＧＳＭ送信信号に変換する。制御部９０は、携帯電話機の各部を制御する。
【００４０】
次に、本発明の第１の実施の形態の動作について、図面を参照して説明する。図２は、本発明の第１の実施の形態の動作を説明するフローチャートである。
【００４１】
制御部９０は、アンテナ５０が信号を受信したり、操作部（図示せず）が送信操作されたりすると、ＷＣＤＭＡ方式の携帯電話機として動作するのか、ＧＳＭ方式の携帯電話機として動作するのかを判断する（ステップＳ１０１）。
【００４２】
制御部９０は、ＧＳＭ方式の携帯電話機として動作すると判断すると、信号を受信するタイミングであるのか、あるいは信号を送信するタイミングであるのかを判断する（ステップＳ１０２）。
【００４３】
制御部９０は、信号を送信するタイミングであると判断すると、スイッチ６１を開状態にする（ステップＳ１０３）。また、制御部９０は、スイッチ６２を閉状態にする（ステップＳ１０４）。さらに、制御部９０は、スイッチ４１を開状態にする（ステップＳ１０５）。また、制御部９０は、スイッチ４２を閉状態にする（ステップＳ１０６）。
【００４４】
すると、ＧＳＭ送信信号は、送信段間フィルタ１３を通過し、第１の出力用増幅部２１で増幅され、アイソレータ３０を通り、スイッチ４２を通り、第２の出力用増幅部２２で増幅され、スイッチ６２を通り、アンテナ５０から送信される。
【００４５】
また、制御部９０は、ステップＳ１０２で信号を受信するタイミングであると判断すると、スイッチ６１を閉状態にする（ステップＳ１０７）。また、制御部９０は、スイッチ６２を開状態にする（ステップＳ１０８）。さらに、制御部９０は、スイッチ４１を閉状態にする（ステップＳ１０９）。また、制御部９０は、スイッチ４２を開状態にする（ステップＳ１１０）。
【００４６】
すると、アンテナ５０が受信したＧＳＭ受信信号は、スイッチ６１を通り、受信フィルタ１０を通過し、低雑音増幅部２０で増幅され、受信段間フィルタ１１を通過して受信信号処理部７０に入力される。
【００４７】
なお、制御部９０は、ＧＳＭ受信信号を受信するときにスイッチ４１を開状態にしてもよいが、受信フィルタ１０および送信フィルタ１２の動作を安定させるために、スイッチ４１を閉状態にすることが好ましい。
【００４８】
また、制御部９０は、ステップＳ１０１でＷＣＤＭＡ方式の携帯電話機として動作すると判断すると、スイッチ６１を閉状態にする（ステップＳ１０７）。また、制御部９０は、スイッチ６２を開状態にする（ステップＳ１０８）。さらに、制御部９０は、スイッチ４１を閉状態にする（ステップＳ１０９）。また、制御部９０は、スイッチ４２を開状態にする（ステップＳ１１０）。
【００４９】
すると、ＷＣＤＭＡ送信信号は、送信段間フィルタ１３を通過し、第１の出力用増幅部２１で増幅され、アイソレータ３０を通り、スイッチ４１を通り、送信フィルタ１２を通過し、スイッチ６１を通り、アンテナ５０から送信される。
【００５０】
また、アンテナ５０が受信したＷＣＤＭＡ受信信号は、スイッチ６１を通り、受信フィルタ１０を通過し、低雑音増幅部２０で増幅され、受信段間フィルタ１１を通過して受信信号処理部７０に入力される。
【００５１】
以上に述べたように、この実施の形態によれば、従来の携帯電話機に比べてフィルタの数を減少させ、低雑音増幅部を削除し、構成を簡素化したので、携帯電話機を小型化したり、軽量化したり、低コスト化したりすることができる。
【００５２】
また、この実施の形態によれば、従来の携帯電話機に比べてアンテナスイッチ部６０のスイッチを減少させたので、高周波損失を低減することができる。そのため、第１の出力用増幅部２１と第２の出力用増幅部２２とが必要とする電力を削減することができ、携帯電話機を低消費電力化することができる。
【００５３】
さらに、高周波損失が低減するため、受信信号の雑音指数（ノイズフィギュア）を小さくすることができ、携帯電話機の受信性能を高感度化することができる。
【００５４】
実施の形態２．
本発明の第２の実施の形態について、図面を参照して説明する。図３は、本発明による携帯電話機の第２の実施の形態の一構成例を示すブロック図である。
【００５５】
本発明の第２の実施の形態と第１の実施の形態とでは、アイソレータ３０の位置が異なる。
【００５６】
具体的には、第１の実施の形態では、アイソレータ３０は第１の出力用増幅部２１が出力した信号を出力スイッチ部４０に出力するが、第２の実施の形態では、スイッチ４１を介して第１の出力用増幅部２１が出力した信号を送信フィルタ１２に出力する。
【００５７】
その他の構成は第１の実施の形態と同様なため、図１と同じ符号を付し説明を省略する。
【００５８】
以上に述べたように、この実施の形態によれば、一般にＧａＡｓ半導体で実現される第１の出力用増幅部２１、出力スイッチ部４０、および第２の出力用増幅部２２を一連の構成にすることができるため、第１の出力用増幅部２１、出力スイッチ部４０、および第２の出力用増幅部２２を一のＧａＡｓ半導体モジュールで実現し、携帯電話機を小型化したり、軽量化したりすることができる。
【００５９】
なお、第１の出力用増幅部２１、出力スイッチ部４０、および第２の出力用増幅部２２に、アンテナスイッチ部６０を加えて一のＧａＡｓ半導体モジュールで実現してもよい。
【産業上の利用可能性】
【００６０】
本発明は、ＷＣＤＭＡ方式とＧＳＭ方式とに対応する携帯電話機に適用することができる。
【図面の簡単な説明】
【００６１】
【図１】本発明による携帯電話機の第１の実施の形態の一構成例を示すブロック図である。
【図２】本発明の第１の実施の形態の動作を説明するフローチャートである。
【図３】本発明による携帯電話機の第２の実施の形態の一構成例を示すブロック図である。
【符号の説明】
【００６２】
１０  受信フィルタ
１１  受信段間フィルタ
１２  送信フィルタ
１４  共用器
２０  低雑音増幅部
２１  第１の出力用増幅部
２２  第２の出力用増幅部
３０  アイソレータ
４０  出力スイッチ部
４１、４２  スイッチ
５０  アンテナ
６０  アンテナスイッチ部
６１、６２  スイッチ
７０  受信信号処理部
８０  送信信号生成部
９０  制御部
【図１】
2007036868.tif 000003
【図２】
2007036868.tif 000004
【図３】
2007036868.tif 000005